(57)【要約】【課題】  イジェクト時においてディスクカートリッジがカートリッジホルダから飛び出して脱落するのを防止する。【解決手段】  ディスク記録再生装置１０１は、ディスクカートリッジを収納するホルダ１０２を回動可能に支持しているシャーシ１０３と、シャーシにディスクカートリッジの挿抜方向に移動可能に、且つシャーシに対して接離方向に移動可能に設けられ、上記ホルダ挿入されてきたディスクカートリッジ１によって押されて回動するイジェクトレバー１０５と、イジェクトレバー１０５によりイジェクトされたディスクカートリッジ１がカートリッジホルダ１０２から脱落するのを阻止するカートリッジ脱落防止手段２２１を備えている。脱落防止手段２２１は、ホルダの一側面１０２ｂに設けられていてカートリッジ排出時に該ディスクカートリッジの一側面３ｂに摺接してディスクカートリッジに制動力を付与する板バネで構成されている。【選択図】  図１
2005322320.tif 000002
【特許請求の範囲】
【請求項１】
ディスクカートリッジを挿入、保持するカートリッジホルダと、
上記カートリッジホルダをカートリッジ挿抜位置と記録再生位置の相互間で移動可能に支持しているシャーシと、
上記シャーシに設けられていて上記ディスクカートリッジの記録及び／又は再生を行なう記録及び／又は再生手段と、
上記シャーシにディスクカートリッジの挿抜方向に移動可能に、且つ上記シャーシに対して接離方向に移動可能に設けられていて上記カートリッジホルダに挿入されてきたディスクカートリッジによって押されて移動するイジェクトレバーと、
上記イジェクトレバーにディスクカートリッジ排出方向の移動力と上記シャーシに接近する方向の付勢力を付与している付勢手段と、
上記付勢手段によるディスクカートリッジの排出に制動力を付与して上記ディスクカートリッジのカートリッジホルダからの脱落を阻止するカートリッジ脱落防止手段と、を備え、
上記カートリッジ脱落防止手段は、上記カートリッジホルダの第１の側面板に設けられていてディスクカートリッジ排出時に該ディスクカートリッジの第１の側面に摺接してディスクカートリッジに制動力を付与するバネ材で構成されていることを特徴とするディスク記録及び／又は再生装置。
【請求項２】
上記カートリッジ脱落防止手段は、カートリッジホルダのカートリッジ挿入口に向かって伸びる弾性片部と、該弾性片部の先端部に設けられていてディスクカートリッジ排出時にディスクカートリッジの第１の側面に接触する凸部と、を備えていることを特徴とする請求項１に記載のディスク記録及び／又は再生装置。
【請求項３】
上記弾性片部の先端部に設けられた凸部は、上記ディスクカートリッジのカートリッジホルダへの収納完了時において上記ディスクカートリッジの第１の側面に対して非接触状態に保たれることを特徴とする請求項２に記載のディスク記録及び／又は再生装置。
【請求項４】
上記カートリッジ脱落防止手段は、シャッタロック解除部材を設けた上記カートリッジホルダの第２の側面板に対向する第１の側面板に設けられていることを特徴とする請求項１に記載のディスク記録及び／又は再生装置。
【請求項５】
上記カートリッジ脱落防止手段は、上記カートリッジホルダの第１の側面板を切り起こすことにより形成されていることを特徴とする請求項１に記載のディスク記録及び／又は再生装置。
【発明の詳細な説明】
【技術分野】
【０００１】
本発明は、イジェクト時にディスクカートリッジがカートリッジホルダから勢い余って脱落するのを防止するカートリッジ脱落防止手段を備えたディスク記録及び／又は再生装置に関するものである。
【背景技術】
【０００２】
カートリッジ脱落防止手段を備えたディスク装置として、カートリッジの挿入経路を横断してカートリッジの挿入方向に平行移動するように案内されたプルプレートを設け、このプルプレートに挿入されたカートリッジを当接させるとともに、プルプレートの両側にカートリッジの凹部内に弾性的に嵌合する嵌合保持部材を設け、この嵌合保持部材でカートリッジをプルプレートに対して保持し、排出時にはプルプレートをストッパにより所定位置に停止させるものが知られている。（例えば、特許文献１参照）
また、シャッタをバネで閉じ方向に付勢しているディスクカートリッジのケース本体の底面に保持凹部を設け、該保持凹部をディスクドライブに設けた捕捉体で係合保持して、イジェクト操作時のシャッタのバネによる閉鎖反力によって、ケース本体がディスクドライブの装填口から外に飛び出すのを防止したものが知られている。（例えば、特許文献２参照）
【特許文献１】特開２００１−１８９０４３号公報（段落００５６〜段落００６８等）
【特許文献２】特開２０００−１７３２２３号公報（段落０００６〜段落０００９、段落００１３〜段落００１６等）
【発明の開示】
【発明が解決しようとする課題】
【０００３】
ところで、特許文献１のカートリッジ脱落防止手段は、プルプレートや嵌合保持部材、ストッパ、レバー部材等を使用するため部品点数が多くなり、また構造が複雑になりコストも高くなるという問題点があった。
【０００４】
また、特許文献２のカートリッジ脱落防止手段は、ディスクカートリッジのケース本体の底面に保持凹部を設け、該保持凹部をディスクドライブに設けた捕捉体で係合保持するために、捕捉体によるディスクカートリッジの浮き上がり等が発生するという問題点があった。
【０００５】
本発明の目的は、簡単な構成で、しかもディスクカートリッジの浮き上がり等の問題を惹起しないでディスクカートリッジの脱落を確実に防止することのできるカートリッジ脱落防止手段を備えたディスク記録及び／又は再生装置を提供することにある。
【課題を解決するための手段】
【０００６】
本発明のディスク記録及び／又は再生装置は、ディスクカートリッジを挿入、保持するカートリッジホルダと、上記カートリッジホルダをカートリッジ挿抜位置と記録再生位置の相互間で移動可能に支持しているシャーシと、上記シャーシに設けられていて上記ディスクカートリッジの記録及び／又は再生を行なう記録及び／又は再生手段と、上記シャーシにディスクカートリッジの挿抜方向に移動可能に、且つ上記シャーシに対して接離方向に移動可能に設けられていて上記カートリッジホルダに挿入されてきたディスクカートリッジによって押されて移動するイジェクトレバーと、上記イジェクトレバーにディスクカートリッジ排出方向の移動力と上記シャーシに接近する方向の付勢力を付与している付勢手段と、上記付勢手段によるディスクカートリッジの排出に制動力を付与して上記ディスクカートリッジのカートリッジホルダからの脱落を阻止するカートリッジ脱落防止手段と、を備えたディスク記録及び／又は再生装置において、
上記カートリッジ脱落防止手段を、上記カートリッジホルダの第１の側面板に設けられていてディスクカートリッジ排出時にディスクカートリッジの第１の側面に摺接してディスクカートリッジに制動力を付与するバネ材で構成した。
【０００７】
特に、上記カートリッジ脱落防止手段を、カートリッジホルダのカートリッジ挿入口に向かって伸びる弾性片部と、該弾性片部の先端部に設けられていてディスクカートリッジ排出時にディスクカートリッジの第１の側面に摺接する凸部と、で構成した。さらに、上記弾性片部の先端部に設けられた凸部を、上記ディスクカートリッジのカートリッジホルダへの収納完了時において上記ディスクカートリッジの第１の側面に対して非接触状態に保つ構成にした。
【０００８】
また、シャッタロック解除部材を設けたカートリッジホルダの第２の側面板と対向する第１の側面板に上記カートリッジ脱落防止手段を設けた。
【０００９】
また、上記カートリッジ脱落防止手段を、上記カートリッジホルダの第１の側面を切り起こすことにより形成した。
【発明の効果】
【００１０】
イジェクト時に上記カートリッジ脱落防止手段でディスクカートリッジの第１の側面に摺動抵抗、即ち側圧を付与してディスクカートリッジがカートリッジホルダから飛び出すのを防止する。特に、上記カートリッジ脱落防止手段を、弾性片部と、該弾性片部の先端部に設けられた凸部と、で構成したので、上記弾性片部によって凸部を適度の側圧でディスクカートリッジの第１の側面に押付けることができる。
【００１１】
また、カートリッジホルダへのディスクカートリッジの収納完了時において、上記カートリッジ脱落防止手段の凸部は、上記ディスクカートリッジの第１の側面に対して非接触状態に保たれ、上記カートリッジ脱落防止手段の側圧からディスクカートリッジを開放する。
【００１２】
また、カートリッジホルダの第１の側面板に設けたカートリッジ脱落防止手段の側圧と、カートリッジホルダの第２の側面に設けたシャッタロック解除部材の側圧と、によってカートリッジホルダの両側面に掛かる側圧をバランスさせることができる。
【００１３】
また、カートリッジホルダの第１の側面板を切り起こして上記カートリッジ脱落防止手段を形成するので部品点数の増加を抑えることができる。
【発明を実施するための最良の形態】
【００１４】
以下、本発明のディスク記録及び／又は再生装置を（１）装置全体の概略構成およびカートリッジ脱落防止手段の構成、（２）ディスクカートリッジの構成、（３）カートリッジホルダの構成、（４）シャーシの構成、（５）記録及び／又は再生手段の構成、（６）イジェクトレバーの構成、（７）付勢手段およびイジェクトレバー係止手段の構成、（８）係止解除手段の構成、（９）その他の構成、（１０）作用、の順に説明する。
（１）装置全体の概略構成およびカートリッジ脱落防止手段の構成、
図１は本発明のディスク記録及び／又は再生装置の斜視図、図２は裏面側から見た平面図、図３は分解斜視図である。ディスク記録及び／又は再生装置１０１は、ディスクカートリッジ１を挿入、保持するカートリッジホルダ１０２と、上記カートリッジホルダ１０２をカートリッジ挿抜位置と記録再生位置の相互間で移動可能に支持しているシャーシ１０３と、上記シャーシ１０３に設けられていて上記ディスクカートリッジ１の記録及び／又は再生を行なう記録及び／又は再生手段１０４と、上記シャーシ１０３にディスクカートリッジ１の挿抜方向に回動移動（以下、単に回動と称する）可能に、且つ上記シャーシ１０３に対して接離方向に移動可能に設けられていて上記カートリッジホルダ１０２に挿入されてきたディスクカートリッジ１によって押されて回動するイジェクトレバー１０５と、上記イジェクトレバー１０５にディスクカートリッジ排出方向の回動力および上記シャーシ１０３に接近する方向の付勢力を付与している付勢手段１０６と、上記ディスクカートリッジ１の挿入によって回動された上記イジェクトレバー１０５を上記シャーシ１０３に係止するイジェクトレバー係止手段１０７と、上記カートリッジホルダ１０２を記録再生位置からカートリッジ挿抜位置に回動させたときに上記イジェクトレバー係止手段１０７によるイジェクトレバー１０５の係止を解除する係止解除手段１０８と、カートリッジ脱落防止手段２２１と、を備えている。
【００１５】
上記カートリッジ脱落防止手段２２１は、上記カートリッジホルダ１０２の第１の側面板１０２ｂに設けられていてディスクカートリッジ排出時に該ディスクカートリッジ１０２の第１の側面３ｂに摺接してディスクカートリッジ１に制動力を付与する板バネ材で構成されている。
【００１６】
上記カートリッジ脱落防止手段２２１は、カートリッジホルダ１０２のカートリッジ挿入口１０２ｋに向かって伸びる弾性片部２２２と、該弾性片部２２２の先端部に設けられていてディスクカートリッジ排出時にディスクカートリッジ１の第１の側面３ｂに接触する凸部２２３と、を備えている。
【００１７】
上記凸部２２３は、図２９に示すように、上記ディスクカートリッジ１のカートリッジホルダ１０２への収納完了時において上記ディスクカートリッジ１の第１の側面３ｂに設けた第１の側圧解除用の凹部６１に嵌まり込んで上記第１の側面３ｂと非接触状態に保たれる。
【００１８】
上記カートリッジ脱落防止手段２２１を設けた上記カートリッジホルダ１０２の第１の側面板１０２ｂに対向する第２の側面板１０２ｃには、シャッタロック解除部材１１６が設けられている。
【００１９】
上記カートリッジ脱落防止手段２２１は、上記カートリッジホルダ１０２の第１の側面板１０２ｂを切り起こすことにより、或いは上記カートリッジホルダ１０２の第１の側面板１０２ｂに窓部を設け、該窓部に臨ませた状態で板バネ製のカートリッジ脱落防止手段２２１を取付けることにより形成されている。
（２）ディスクカートリッジの構成、
図９はディスクカートリッジ１を上ハーフ側から見た斜視図、図１０はディスクカートリッジ１を下ハーフ側から見た斜視図、図１１はシャッタ部材をスライドさせて記録及び／又は再生用開口部を開放した状態の斜視図である。
【００２０】
ディスクカートリッジ１は、ディスク状記録媒体２と、上記ディスク状記録媒体２を円形状のディスク収納部内に回転可能に収納しているとともに、上記ディスク状記録媒体２の一部を外部に臨ませる記録及び／又は再生用開口部３４を設けたカートリッジ本体３と、上記記録及び／又は再生用開口部３４を閉塞する位置と開放する位置と間に亘って移動可能に上記カートリッジ本体３に取付けられたシャッタ部材４と、上記シャッタ部材４が上記記録及び／又は再生用開口部３４を閉塞する位置に在るときに上記カートリッジ本体３に設けた移動規制部３ｅに係合することによって上記シャッタ部材４が上記記録及び／又は再生用開口部３４を開放する方向に移動するのを規制するシャッタ移動規制部材５（図１４参照）と、上記シャッタ移動規制部材５を上記カートリッジ本体３に設けた移動規制部３ｅに係合する方向に付勢している付勢部材６と、上記付勢部材６の外力による変形を防止する変形防止部７と、を備えている。
【００２１】
上記付勢部材６は、上記シャッタ部材４の一側から延長された延長片６ａと、上記延長片６ａの先端部に設けた折返部６ｂを介して上記延長片６ａの内側に重なるように折り返すことにより形成された弾性変位片６ｃと、で構成されている。
【００２２】
上記変形防止部材７は、上記付勢部材６の先端部の背後に配置されていて上記付勢部材６を背後から支えることにより上記付勢部材６が外力により変形するのを防止する。
【００２３】
図１２に示すように、上記シャッタ部材４が上記記録及び／又は再生用開口部３４を閉塞している状態においては、上記付勢部材６は、上記弾性変位片６ｃの先端部で、上記シャッタ移動規制部材５の一端側に設けた被押圧部５７を押圧して、上記シャッタ移動規制部材５を取付軸８を中心に時計方向に回動させて、上記シャッタ移動規制部材５の他端側に設けた係合部５８を上記カートリッジ本体３に設けた移動規制部３ｅに対して係合可能な位置に位置させている。この状態で上記シャッタ部材４を上記記録及び／又は再生用開口部３４を開放する方向に移動させようとすると、上記シャッタ移動規制部材５の他端側に設けた係合部５８が上記カートリッジ本体３に設けた移動規制部３ｅに係合して上記シャッタ部材４の移動を阻止するようになっている。そして、上記弾性変位片６ｃの付勢力に抗して上記被押圧部５７を次に説明するカートリッジホルダ１０２の第２の側面板１０２ｃに設けたシャッタリック解除部材１１６の凸部１１７で押圧すると、図１３に示すように、上記シャッタ移動規制部材５が取付軸８を中心に反時計方向に回動して、上記係合部５８を上記移動規制部３ｅに対して係合不可能な位置に逃がして、上記シャッタ部材４を上記記録及び／又は再生用開口部３４を開放する方向に移動可能にする。
【００２４】
次に、ディスク状記録媒体２、カートリッジ本体３、シャッタ部材４、シャッタ移動規制部材５、付勢部材６、変形防止部材７の各部について詳細に説明する。
【００２５】
図９に示すように、上記ディスク状記録媒体２は、ゲーム用のソフト等が記録された光ディスク２１の中央部にチャッキング用のハブ２２を取付けることにより構成されている。上記光ディスク２１は、直径５０mm程度の小径に形成されている。上記チャッキング用のハブ２２は、マグネットに吸引されるステンレス等の磁性金属により形成されている。
【００２６】
上記カートリッジ本体３は、上，下ハーフ３１，３２の周壁３１ａ，３２ａを突き合わせることにより形成されている。図１２に示すように、上記周壁３１ａ，３２ａの内側にはディスク収納部を構成する円弧状のリブ３１ｂ，３２ｂが設けられている。
【００２７】
図１１に示すように、上記カートリッジ本体３は、前面３ａ（後に説明するディスク記録及び／又は再生装置への挿入端側の側面）が上記光ディスク２１と略同じ曲率半径の円弧状面（半円形状面）に形成され、上記前面３ａに連続する左右の側面（以下、第１の側面、第２の側面と称する）３ｂ，３ｃは、互いに平行するフラット面に形成され、上記前面３ａに対向する背面３ｄは、上記第１，第２の側面３ｂ，３ｃに連続するなだらかに連続する湾曲面に形成されている。
【００２８】
上記下ハーフ３２の中央部には、上記ディスク状記録媒体２のハブ２２を外部に臨ませる駆動用開口部３３が設けられている。また、上記駆動用開口部３３の近傍から上記第２の側面３ｃに亘って、上記ディスク状記録媒体２の光ディスク２１の情報記録面を外部に臨ませる記録及び／又は再生用開口部３４が設けられている。
【００２９】
上記駆動用開口部３３を介して上記ディスク状記録媒体２のハブ２２がディスク記録及び／又は再生装置１０１のディスクテーブル１７０上にマグネットチャッキングされる。また、上記記録及び／又は再生用開口部３４を介して上記ディスク状記録媒体２の光ディスク２１に対してディスク記録及び／又は再生装置１０１の光学ピックアップ１５２により情報の記録及び／又は再生が行われる。
【００３０】
下ハーフ３２の外面３２ｃから上記第２の側面３ｃの周壁にかけて凹状の段差部（以下、第１の窪み部と称する）３５が設けられている。上記第１の窪み部３５は、次に説明するシャッタ部材４を下ハーフ３２の外面３２ｂおよび第２の側面３ｃから突出させることなく、更に詳しく言えばシャッタ部材４を下ハーフ３２の外面３２ｃおよび第２の側面３ｃ側の周壁の外面と面一にした状態で取付けるためのものであり、且つシャッタ部材４の移動範囲を規制するものである。
【００３１】
上記第１の窪み部３５の上記駆動用開口部３３側の端部は、上記第１の窪み部３５よりも更に深い第２の窪み部３６になっている。上記第２の窪み部３６には、次に説明するシャッタ部材４の開口開閉部４４の先端に設けた折曲部４４ａが挿入される。上記第２の窪み部３６は、下ハーフ３２に取付けたシャッタガイド板３７によって上記折曲部４ａの上方を塞がれている。そして、上記シャッタガイド板３７で上記開口開閉部４４の先端の折曲部４４ａが捲くれ上がるのを防止する。なお、上記シャッタガイド板３７も下ハーフ３２の外面と面一にした状態で下ハーフ３２に取付けられている。
【００３２】
図１４に示すように、上ハーフ３１は、上記第２の側面３ｃ側の周壁３１ａにシャッタ部材４の移動方向に伸びるガイド溝３８を備えている。また、下ハーフ３２の上記第２の側面３ｃ側の周壁３２ａは除去された状態になっていて、上ハーフ３１の第２の側面３ｃ側の周壁３１ａとの間にシャッタ部材ガイド用の開口部３９が形成されている。
【００３３】
また、上記シャッタ部材ガイド用の開口部３９に連なるシャッタロック解除部材導入溝４０が上記カートリッジ本体３の第２の側面３ｃから前面３ａにかけて形成されている。また、上記カートリッジ本体３の他方の側面、即ち第１の側面３ｂには、機能拡張用溝４１と、ディスクカートリッジ１のカートリッジホルダ１０２への収納完了時において上記カートリッジ脱落防止手段２２１の凸部２２３が嵌合して、該凸部２２３を上記カートリッジ本体３の第１の側面３ｂに対して非接触状態にして、上記カートリッジ脱落防止手段２２１によるカートリッジホルダ１０２への側圧を解除する側圧解除用の凹部６１と、が設けられている。
【００３４】
また、図１１に示すように、下ハーフ３２の前面３ａ側の外面には一対の位置決め穴４２，４３が設けられている。
【００３５】
図１４に示すように、上記シャッタ部材４は、上記記録及び／又は再生用開口部３４を開閉する平板状の開口開閉部４４と、上記開口開閉部４４を上記下ハーフ３２の第１の窪み部３５上に重ね合わせた状態で上記記録及び／又は再生用開口部３４を開放する位置と閉塞する位置の間に亘って移動可能に上記カートリッジ本体３に組み付けるための組付部４５と、を備えている。
【００３６】
上記組付部４５は、上記開口開閉部４４の一端側を略直角に折り曲げることにより形成された第１の移動ガイド片４６と、上記第１の移動ガイド片４６の先端部を上記開口開閉部４４と同方向に略略直角に折り曲げることにより形成された第２の移動ガイド片４７と、を備えている。
【００３７】
上記第１の移動ガイド片４６は、中央部に次に詳しく説明するシャッタ移動規制部材５の被押圧部５７が臨む押圧操作用の開口部４８を備えている。上記第１の移動ガイド片４６のシャッタ移動方向の両側部で、且つ上記カートリッジ本体３の厚み方向の略中央部には、上記第２の移動ガイド片４７と略平行に第３，第４の移動ガイド片４９，５０が設けられ、これら第３，第４の移動ガイド片４９，５０の先端部には上記開口開閉部４４に対して離間する方向に伸びる抜け止め片５１ａ，５１ｂが設けられている。また、上記第４の移動ガイド片５０の下面には、シャッタ移動規制部材５を回動可能に取付けるためのボス状の軸部５２が設けられている。また、上記組付部４５と反対側の上記開口開閉部４４の端部には捲くれ上がり防止用の折曲部４４ａが設けられている。上記シャッタ部材４は、所定の形状に打ち抜いた金属板を折り曲げることにより形成されている。
【００３８】
図１６に示すように、上記シャッタ部材４は、上記第１の移動ガイド片４６を上記カートリッジ本体３の第２の側面３ｃのシャッタリック解除部材導入溝４０内に重ね合わせて、上記第２の移動ガイド片４７を上記上ハーフ３１に設けたガイド溝３８に挿入するとともに、上記第３，第４の移動ガイド片４９，５０を上記シャッタ部材ガイド用の開口部３９からカートリッジ本体３内に挿入し、上記第３の移動ガイド片４９の先端に設けた抜け止め片５１ａを上記上ハーフ３１の周壁３１ａの底面に設けた溝３２ｅに係合させ、上記第４の移動ガイド片５０の先端に設けた抜け止め片５１ｂを上記上ハーフ３１の周壁３１ａの内面３２ｆに係合させることにより上記カートリッジ本体３の第２の側面３ｃ側にスライド可能に取付けられている。
【００３９】
図１０に示すように、上記シャッタ部材４は、上記カートリッジ本体３の前面３ａ側にスライドさせたときに、上記開口開閉部４４で上記記録及び／又は再生用開口部３４を閉塞する。また、図１１に示すように、上記カートリッジ本体３の前面３ａ側にスライドさせたときに、上記記録及び／又は再生用開口部３４を開放する。
【００４０】
図１４、図１５に示すように、上記シャッタ移動規制部材５は、中央部に軸受穴５５を設けた平板状の本体部５６と、上記本体部５６の一端部に設けられた被押圧部５７と、上記本体部５６の他端部に設けられた係合部５８と、を備え、上記本体部５６の被押圧部５７側の端部に回動阻止用の凸部５９を備えている。上記被押圧部５７と係合部５８は、上記本体部５６の一端部と他端部を同方向に略直角に折り曲げることにより形成されている。上記シャッタ移動規制部材５は、所定の形状に打ち抜いた金属板を折り曲げることにより形成されている。
【００４１】
上記シャッタ移動規制部材５は、上記軸受穴５５に上記シャッタ部材４の第４の移動ガイド片５０に設けたボス状の軸部５２を挿入することにより上記第４の移動ガイド片５０に回動可能に取付けられている。そして、上記シャッタ移動規制部材５を、上記回動阻止用の凸部５９が上記シャッタ部材４の第１の移動ガイド片４６の内面に当接するまで回動させると、図１１に示すように、上記被押圧部５６が上記シャッタ部材４の第１の移動ガイド片４６の中央部に設けた押圧操作用の開口部４８に臨み、且つ図１２に示すように、上記係合部５８が上記カートリッジ本体３に設けた移動規制部３ｅに係合可能になって上記シャッタ部材４の移動を阻止するようになっている。
【００４２】
上述したように、上記付勢部材６は、上記シャッタ部材４の一側から延長された延長片６ａと、延長片６ａの先端部に設けた折返部６ｂを介して折り返えされた弾性変位片６ｃと、を備えている。（図１４参照）
上記延長片６ａは、上記シャッタ部材４をカートリッジ本体３に組み付けたときに、上記シャッタ部材ガイド用の開口部３９からカートリッジ本体３内に侵入するように湾曲させて形成されている。また、上記弾性変位片６ｃは、上記延長片６ｃの内面に重なるように湾曲させた状態で折り返されていて、その先端部で、上記シャッタ移動規制部材５の一端側に設けた被押圧部５７を押圧して、該被押圧部５７を上記シャッタ部材４の第１の移動ガイド片４６の中央部に設けた押圧操作用の開口部４８に臨ませている。上記延長片６ａは、上記弾性変位片６ｃの長さを長くして上記付勢部材６のバネ定数の調整を可能にしている。
【００４３】
なお、図１７は、ディスクカートリッジの他の実施例を示す。この実施例において、ディスクカートリッジ１Ａは、シャッタ部材４を備えていない所謂シャッタレスの構造になっている。上記シャッタレスのディスクカートリッジ１Ａは、カートリッジ本体３の第１の側面３ｂに、機能拡張用溝４１と、ディスクカートリッジ１のカートリッジホルダ１０２への収納完了時において上記カートリッジ脱落防止手段２２１の凸部２２３が嵌合して該凸部２２３を上記ディスクカートリッジ１のカートリッジ本体３の第１の側面３ｂに対して非接触状態にして上記カートリッジ脱落防止手段２２１によるカートリッジホルダ１０２への側圧を除去するための第１の側圧解除用の凹部６１と、を備えている。また、第２の側面３ｃにはディスクカートリッジ１のカートリッジホルダ１０２への収納完了時において、次に説明するカートリッジホルダ１０２の第２の側面板１０２ｃに設けたシャッタロック解除部材１１６の先端の凸部１１７が嵌合して、該凸部１１７を上記ディスクカートリッジ１のカートリッジ本体３の第２の側面３ｃに対して非接触状態にして、上記シャッタロック解除部材１１６によるカートリッジホルダ１０２への側圧を除去するための第２の側圧解除用の凹部６２が設けられている。他の構成は、上記シャッタ部材４を有するディスクカートリッジ１の構成と略同じであるので重複する説明は省略する。
（３）カートリッジホルダの構成、
図３に示すように、上記カートリッジホルダ１０２は、略正方形状の上面板（天面板）１０２ａと、該上面板１０２ａの左右両側部を下方に向けて略直角に折り曲げることにより形成された左右の側面板（以下、第１，第２の側面板と称する）１０２ｂ，１０２ｃと、これら第１，第２の側面板１０２ｂ，１０２ｃの下端を内側に向けて略直角に折り曲げることにより形成されていて挿入されたディスクカートリッジ１の下面の左右両側部を支持する左右一対のカートリッジ支持部１０２ｄ，１０２ｅと、これらカートリッジ支持部１０２ｄ，１０２ｅの前縁を下方に向けて折り曲げることにより形成された受け面部１０２ｆ，１０２ｇと、を備えている。そして、これら上面板１０２ａ、第１，第２の側面板１０２ｂ，１０２ｃ、左右一対のカートリッジ支持部１０２ｄ，１０２ｅ等によってディスクカートリッジ１の挿入口１０２ｋとこれに連続する収納部が形成されている。また、左右一対のカートリッジ支持部１０２ｄ，１０２ｅの上記挿入口寄りの位置には両者に跨がるようにブリッジ板１０２ｍが取付けられる。上記ブリッジ板１０２ｍは、上記一対のカートリッジ支持部１０２ｄ，１０２ｅを容易に変形することがないように補強するとともに、上記一対のカートリッジ支持部１０２ｄ，１０２ｅの間からディスクカートリッジ１が飛び出すのを防止する機能を有している。
【００４４】
上記上面板１０２ａの中央部には亀甲形の開口部１１１が打ち抜き形成されている。上記開口部１１１は、カートリッジホルダ１０２の軽量化を図るためのものである。
【００４５】
上記開口部１１１の左右両側部には左右一対の第１，第２の板バネ１１２，１１３が設けられている。これら第１，第２の板バネ１１２，１１３は、上記挿入口１０２ｋから収納部内に入り込むように屈曲されていて、上記収納部内に挿入されたディスクカートリッジ１の上面を押圧して該ディスクカートリッジ１を上記カートリッジ支持部１０２ｄ，１０２ｅに押し付けるようになっている。また、上記開口部１１１の前端側には、左右一対の第３，第４の板バネ１１４，１１５が設けられている。これら第３，第４の板バネ１１４，１１５は、上記上面板１０２ａの上側に向けて屈曲されていて、電子機器のカートリッジホルダ収納部等への上記カートリッジホルダ１０２の挿入、組み付け等を容易に行なうことを可能にする。上記第１〜第４の板バネ１１２〜１１５は、上記ディスクカートリッジ１の上面板１０２ａの一部を打ち抜くことにより形成されている。
【００４６】
上記第２の板バネ１１３とカートリッジホルダ１０２の第２の側面板１０２ｃとの間で、且つ上記カートリッジホルダ１０２に挿入されたディスクカートリッジ１の円弧状の前面３ａと上記カートリッジホルダ１０２の第２の側面板１０２ｃとの間の空間部、所謂デッドスペースに上記凹状の係止解除手段取付部１０２ｈが形成されている。図５に示すように、上記係止解除手段取付部１０２ｈに臨む上記カートリッジホルダ１０２の第２の側面板１０２ｃには２個の円筒形のボス状の突起１０２ｎが形成されている。上記係止解除手段１０８は、上記取付部１０８ａに設けた突起嵌合穴１０８ｇに上記ボス状の突起１０２ｎを挿入するとともに、重合部１０８ｂを上記係止解除手段取付部１０２ｈの上面に重ね合わせ、上記弾性片部１０８ｃとイジェクトレバー操作部１０８ｄを上記カートリッジホルダ１０２内に挿入し、上記ボス状の突起１０２ｎの先端部をカシメて拡径することにより、上記カートリッジホルダ１０２に挿入されたディスクカートリッジ１とカートリッジ本体３の円弧状の前面３ａおよび側面３ｃとの間で形成される略三角形状のデッドスペースに取付けられている。
【００４７】
また、図３に示すように、上記カートリッジホルダ１０２の第２の側面板１０２ｃには上記ディスクカートリッジ１のシャッタ移動規制部材５によるシャッタ部材４のロックを解除するシャッタロック解除部材１１６が設けられている。
【００４８】
上記ロック解除部材１１６は、板バネ材で形成されていて上記係止解除手段１０８の取付部１０８ａと同様に上記カートリッジホルダ１０２の第２の側面板１０２ｃに設けたボス状の突起１０２ｎにより長さ方向の一端部側が上記カートリッジホルダ１０２の第２の側面板１０２ｃに止着されている。上記ロック解除部材１１６は、上記カートリッジホルダ１０２の第２の側面板１０２ｃに沿ってカートリッジ挿入口の近傍まで伸びていて、その先端部には、平面視略Ｖ字状の凸部１１７が設けられている。上記凸部１１７は、上記カートリッジホルダ１０２の第２の側面板１０２ｃに設けた切欠窓部１１８を介して上記カートリッジホルダ１０２内に侵入している。そして、カートリッジホルダ１０２内にディスクカートリッジ１を所定量挿入すると、図１３に示すように、シャッタリック解除部材１１６の先端の凸部１１７で上記シャッタ移動規制部材５の被操作部５７を押圧してシャッタ部材４のロックを解除する。
【００４９】
また、上記カートリッジホルダ１０２の第１の側面板１０２ｂには上記カートリッジ脱落防止手段２２１が設けられている。そして、カートリッジホルダ１０２内へのディスクカートリッジ１の収納完了時において、図２９に示すように、上記カートリッジ脱落防止手段２２１の先端部に設けられた凸部２２３は、上記ディスクカートリッジの第１の側面３ｂに設けた第１の側圧解除用の凹部６１に嵌合して上記ディスクカートリッジ１の第１の側面３ｂに対して非接触状態に保たれることは、先に説明した通りである。
【００５０】
上記カートリッジホルダ１０２の左右一対のカートリッジ支持部１０２ｄ，１０２ｅには，一対の位置決め孔１１８が形成されていて、これら一対の位置決め孔１１８には、次に説明するシャーシ１０３に設けた位置決めピン１１９が挿入される。
【００５１】
また、上記カートリッジホルダ１０２の第１，第２の側面板１０２ｂ，１０２ｃの上記カートリッジ挿入口と反対側の端部には、上記カートリッジホルダ１０２を次に説明するシャーシ１０３に回動可能に取付けるための軸受孔１２１，１２２が設けられている。
（４）シャーシの構成、
シャーシ１０３は、金属板によって略四角形状に形成されている。上記シャーシ１０３の四隅部にはダンパ取付部１３１が設けられていて、これらダンパ取付部１３１には、ゴム製のダンパ１３２が取付けられている。上記シャーシ１０３の左右の側部には、上記カートリッジホルダ１０２の第１，第２の側面板１０２ｂ，１０２ｃの外側に位置する左右の側壁１３３，１３４が設けられている、これら左右の側壁１３３，１３４の一端側には、上記カートリッジホルダ１０２を回動可能に取付けるための一対の軸受部１３５，１３６が設けられていて、これら軸受部１３５，１３６の内面に設けた軸１３７を上記カートリッジホルダ１０２の軸受孔１２１，１２２に挿入することにより上記カートリッジホルダ１０２をカートリッジ挿抜位置と記録再生位置の相互間で回動可能に支持している。
【００５２】
上記シャーシ１０３は、上記カートリッジホルダ１０２を記録再生位置に移動させたときに、上記カートリッジホルダ１０２の左右一対のカートリッジ支持部１０２ｄ，１０２ｅに設けた位置決め孔１１９に侵入する位置決めピン１２０を備えている。
（５）記録及び／又は再生手段の構成、
図３に示すように、記録及び／又は再生手段１０４は、上記ディスクカートリッジ１のディスク状記録媒体２を回転させるスピンドルモータ１５１と、上記ディスク状記録媒体２への情報の記録及び／又は再生を行なう光学ピックアップ１５２と、光学ピックアップ１５２を駆動するスレッドモータ１５３と、を備えている。
【００５３】
図１８に示すように、上記スピンドルモータ１５１は、シャーシ１０３に設けたスピンドルモータ用のステータ基板形成用の孔（以下、第1のステータ基板形成用の孔と称する）１４１にアウトサート成形された合成樹脂のステータ基板１６１と、該ステータ基板１６１の上面に一体的に成形された筒状の軸受部１６１ａと、該軸受部１６１ａの内周に取付けられた軸受１６２と、上記筒状の軸受部１６１ａを中央孔１６３内に挿入した状態で上記ステータ基板１６１上に載置された配線板１６４と、上記筒状の軸受部１６１ａの外周部に取付けられた鉄心コイル１６５と、上記軸受１６２に回転中心軸１６６の先端を挿入した状態で回転可能に取付けられたロータアッシー１６７と、を備えている。上記ロータアッシー１６７の内周面には上記鉄心コイル１６５と対を成すロータマグネット１６８が取付けられ、上面にはマグネット１６９によりディスク状記録媒体２のハブ２２をマグネットチャッキングするディスクテーブル１７０が取付けられている。
【００５４】
図３に示すように、光学ピックアップ１５２は、対物レンズ駆動装置１７１と、該対物レンズ駆動装置１７１を上記ディスク状記録媒体２のディスク状記録媒体２の半径方向に移動させる移動台１７２と、を備えている。
【００５５】
上記移動台１７２は、第１の軸受部１７３と第２の軸受部１７４を備えている。上記第１の軸受部１７３には、リードスクリュー１７５が取付けられている。また、上記第２の軸受部１７４にはガイド部１７６が取付けられている。
【００５６】
上記リードスクリュー１７４は、上記シャーシ１０３の下面側において一対の軸受１７７によって回転可能に支持されている。また、上記ガイド部１７６は、アウトサート成形によりシャーシ１０３と一体に形成されている。
【００５７】
上記リードスクリュー１７５の一端部にはウォームギヤ１８１が取付けられている。図2に示すように、上記ウォームギヤ１８１は、上記シャーシ１０３の下面に軸１８２により回転自在に取付けられた第３のギヤ１８３と噛合している。
【００５８】
上記第３のギヤ１８３は、下端部に該第３のギヤ１８３よりも大径で、且つこれと同軸の第２のギヤ１８４を備えている。上記第２のギヤ１８４は、次に説明する第１のギヤ１８５を介してスレッドモータ１５３により回転駆動される。
【００５９】
図１９に示すように、上記スレッドモータ１５３は、シャーシ１０３に設けたスレッドモータ用のステータ基板形成用の孔（以下、第２のステータ基板形成用の孔と称する）１４２にアウトサート成形された合成樹脂のステータ基板１９１と、該ステータ基板１９１の上面に一体的に成形された筒状の軸受部１９１ａと、該軸受部１９１ａの内周に取付けられた軸受１９２と、上記筒状の軸受部１９１ａを中央孔１９３内に挿入した状態で上記ステータ基板１９１上に載置された配線板１９４と、上記筒状の軸受部１９１ａの外周部に取付けられた鉄心コイル１９５と、上記軸受１９２に回転中心軸１９６の先端を挿入した状態で回転可能に取付けられたロータアッシー１９７と、を備えている。上記ロータアッシー１６７の内周面には上記鉄心コイル１９５と対を成すロータマグネット１９８が取付けられ、下面には上記第１のギヤ１８５が取付けられている。
【００６０】
そして、図2に示すように、上記スレッドモータ１５３で上記第１のギヤ１８５、第２のギヤ１８４、第３のギヤ１８３、ウォームギヤ１８１を介して上記リードスクリュー１７５を回転させると、上記移動台１７２は、上記ガイド部１７６でガイドされながら上記ピックアップ配置孔１４３内を移動して、上記該対物レンズ駆動装置１７１を上記ディスク状記録媒体２のディスク状記録媒体２の半径方向に移動させるようになっている。
（６）イジェクトレバーの構成、
イジェクトレバー１０５は、ディスクカートリッジ１を挿入時において、カートリッジ本体３の前面３ａで押されて次に説明する付勢手段１０６の付勢力に抗して回動し、後に説明するイジェクトレバー係止手段１０７により戻り回動不可能に係止され、記録及び／又は再生終了後に、上記イジェクトレバー係止手段１０７による係止を、先に説明した係止解除手段１０８により解除されて上記付勢手段１０６の付勢力により戻り回動して上記カートリッジホルダ１０２からディスクカートリッジ１を排出させる。
【００６１】
図３に示すように、上記イジェクトレバー１０５は、上記シャーシ１０３の上面に重ね合わせる略Ｖ字状の平板状主部１０５ａと、該平板状主部１０５ａの一端側にアーム部１０５ｂを介して設けられていてカートリッジ本体３の前面３ａで押圧される被押圧部１０５ｃと、上記平板状主部１０５ａの他端側に設けられた軸受孔１０５ｄと、上記軸受孔１０５ｄを介して上記被押圧部１０５ｃと略対称位置に設けられていて上記係止解除手段１０８のイジェクトレバー操作部１０８ｄによって係止解除操作される被操作部１０５ｅと、を備えている。
【００６２】
上記イジェクトレバー１０５は、軸１０５ｆにより回動可能に上記シャーシ１０３の上面に取付けられていて、上記カートリッジホルダ１０２内に挿入されてきたディスクカートリッジ１のカートリッジ本体３の前面３ａの中央部が上記被押圧部１０５ｃに当接するようになっている。また、上記イジェクトレバー１０５は、上記軸１０５ｆによって上記平板状主部１０５ａを上記イジェクトレバー係止手段１０７による係止を解除可能な位置まで浮き上がらせることができるように上記シャーシ１０３の上面に取付けられている。
【００６３】
イジェクトレバー１０５は、上述のような構成であって、図２０に示すように、カートリッジ挿抜位置（カートリッジホルダ１０２を上記シャーシ１０３に対して所定の傾斜角度θに傾斜させた状態）において上記カートリッジホルダ１０２にディスクカートリッジ１を挿入した場合に、図２１に示すように、カートリッジ本体３の前面３ａで上記被押圧部１０５ｃが押されて次に説明する付勢手段１０６の付勢力に抗して回動し、上記カートリッジホルダ１０２にディスクカートリッジ１が完全に収納された状態になると、図２２に示すように、上記被押圧部１０５ｅの外側面１０５ｊに次に説明するイジェクトレバー係止手段１０７が係合して戻り回動不可能に係止され、上記カートリッジホルダ１０２を記録再生位置に回動させた場合でも上記カートリッジホルダ１０２を戻り回動不可能に維持する。そして、記録及び／又は再生終了後に、上記カートリッジホルダ１０２を記録再生位置からカートリッジ挿抜位置に回動させると、図８に示すように、上記係止解除手段１０８により上記イジェクトレバー係止手段１０７によるイジェクトレバー１０５の係止を解除する。従って、上記イジェクトレバー１０５は、上記付勢手段１０６の付勢力により戻り回動して上記カートリッジホルダ１０２からディスクカートリッジ１を排出させる。
（７）付勢手段およびイジェクトレバー係止手段の構成、
付勢手段１０６は、上記イジェクトレバー１０５にディスクカートリッジ排出方向の回動力を付与するとともに、上記イジェクトレバー１０５を上記シャーシ１０３に接近する方向に牽引する付勢力を付与している。
【００６４】
図6〜図8に示すように、付勢手段１０６には、コイルスプリングが用いられていて上記シャーシ１０３の下面側に配置されていて一端側が上記シャーシ１０３に設けた第１のスプリング係止部２０１に係止され、他端側が上記イジェクトレバー１０５に設けた第２のスプリング係止部２０２に係止されている。上記第２のスプリング係止部２０２は、シャーシ１０３に設けた切欠孔部２０３からシャーシ１０３の下面側に突出している。
【００６５】
イジェクトレバー係止手段１０７は、付勢手段１０６に抗してイジェクトレバー１０５をディスクカートリッジ１がカートリッジホルダ１０２内に完全に収納される位置まで回動させたときに、上記イジェクトレバー１０５の平板状主部１０５ａの外側面１０５ｊに係合して、上記イジェクトレバー１０５を戻り回動不可能に係止する。
【００６６】
イジェクトレバー係止手段１０７は、シャーシ１０３の上面にボス状の凸部を設けることにより形成されている。上記イジェクトレバー係止手段１０７は、上記付勢手段１０６の付勢力に抗して上記イジェクトレバー１０５の平板状主部１０５ａをシャーシ１０３から浮き上がらせた状態にすると上記外側面１０５ｊと係合が外れるようになっている。上記イジェクトレバー係止手段１０７との係合が外れたイジェクトレバー１０５は、平板状主部１０５ａが上記イジェクトレバー係止手段１０７上に乗り上げて回動し、カートリッジホルダ１０２からディスクカートリッジ１を排出させる。上記付勢手段１０６の付勢力に抗して上記イジェクトレバー１０５の平板状主部１０５ａの外側面１０５ｊをシャーシ１０３から浮き上がらせた状態にするのが上記係止解除手段１０８である。
（８）係止解除手段の構成、
上記係止解除手段１０８は、板バネ材によって上記カートリッジホルダ１０２とは別個に形成されていて上記カートリッジホルダ１０２に取付けられている。
【００６７】
図1、図４、図５に示すように、上記係止解除手段１０８は、上記カートリッジホルダ１０２の側面に取付け固定（止着）される取付部（止着部）１０８ａと、該取付部１０８ａに対して略直角に折り曲げた状態で連続し上記カートリッジホルダ１０２の上面１０２ａを凹ませることにより形成した係止解除手段取付部１０２ｈの上面に重ね合わせる重合部１０８ｂと、該重合部１０８ｂに対して鋭角θ１（略８０°）折り曲げた状態で連続し連続し上記カートリッジホルダ１０２の上面１０２ａに設けた切欠窓部１０２ｉから上記カートリッジホルダ１０２内に侵入して上記シャーシ１０３側に伸びる弾性片部１０８ｃと、該弾性片部１０８ｃに対して鈍角θ２（略１６０°）折り曲げた状態で連続するイジェクトレバー操作部１０８ｄと、を備えている。
【００６８】
上記イジェクトレバー操作部１０８ｄは、後に詳しく説明するイジェクトレバー１０５の被操作部１０５ｅの側面１０５ｍで押圧されて上記弾性片部１０８ｃを撓ませる傾斜面部１０８ｅと、上記被操作部１０５ｅの側面１０５ｍによる上記傾斜面部１０８ｅの押圧が解除されて上記弾性片部１０８ｃが戻り移動したときに上記被操作部１０５ｅの下面１０５ｎに係合する係合部１０８ｆを備えている。
【００６９】
図５に示すように、上記弾性片部１８６ｃは、上記係止解除手段取付部１０２ｈの下面に設けた弾性片位置決め部１０２ｊに押し付けられて略直角になるように折り曲げられて所謂予圧が付与されているとともに、所定の位置に位置決めされた状態になっている。上記係止解除手段１０８は、所定の形状に打ち抜いたバネ板材を折り曲げることにより形成されている。
【００７０】
図６に示すように、上記イジェクトレバー操作部１０８ｄは、上記カートリッジホルダ１０２をカートリッジ挿抜位置から記録再生位置に移動させる過程で、後に詳しく説明するイジェクトレバー１０５の被操作部１０５ｅの側面１０５ｍで上記傾斜面部１０８ｅを押圧されて逃げ方向（矢印Ａ方向）に移動する。上記カートリッジホルダ１０２がカートリッジ記録再生位置に移動すると、図７に示すように、上記被操作部１０５ｅの側面１０５ｍによる上記傾斜面部１０８ｅの押圧が解除されて上記弾性片部１０８ｃが戻り移動、すなわち弾性復帰して、上記被操作部１０５ｅの下面１０５ｎに上記係合部１０８ｆが係合する。
【００７１】
記録及び／又は再生終了後において上記カートリッジホルダ１０２をカートリッジ挿抜位置から記録再生位置に移動させる際には、図８に示すように、上記イジェクトレバー１０５の被操作部１０５ｅの下面１０５ｎを介してイジェクトレバー１０５が持ち上げられて上記シャーシ１０３の上面から浮き上がって、上記イジェクトレバー係止手段１０７による上記イジェクトレバー１０５の係止が解除され、上記イジェクトレバー１０５は、付勢手段１０６の付勢力で回動して、ディスクカートリッジ１をカートリッジホルダ１０２から押し出す。
【００７２】
上記係止解除手段１０８は、上記カートリッジホルダ１０２に挿入されたディスクカートリッジ１のカートリッジ本体３の円弧状の前面３ａと上記カートリッジホルダ１０２の一側面と前面とで構成される略三角形状のデッドスペースとしての遊び空間に配置されている。また、上記カートリッジホルダ１０２は、上記シャーシ１０３に回動可能に取付けられていて、上記カートリッジホルダ１０２をカートリッジ挿抜位置から記録再生位置に回動移動させる際に上記イジェクトレバー係止手段１０７による上記イジェクトレバー１０５の係止を解除する。
（９）その他の構成、
上記実施例ではイジェクトレバー１０５を回動移動させる構成にしたが、イジェクトレバー１０５は直線的移動するものであっても良い。
【００７３】
また、図２３〜図２５は、本発明のディスク記録及び／又は再生装置１０１を搭載したゲーム機等の電子機器３０１を示す。上記電子機器３０１は、偏平な横長の形状に形成されていて、図２３に示すように、上記電子機器３０１の外筐３０２の前面３０２ａ側の中央部には液晶等の表示部３０３が配置され、両側部には複数のコントロールキイ３０４が配置されている。また、図２４に示すように、上記電子機器３０１の外筐３０２の背面側３０２ｂの中央部には回動開閉可能な蓋部３０５が設けられている。そして、図２５に示すように、上記蓋部３０５に上記ディスク記録及び／又は再生装置１０１のカートリッジホルダ１０２が取付けられ、外筐３０２側に上記ディスク記録及び／又は再生装置１０１のシャーシ１０３が取付けられていて、上記蓋部３０５を開けば一緒にカートリッジホルダ１０２も回動して、カートリッジ挿抜位置に移動するようになっている。
（１０）作用、
次に、上記シャッタ付のディスクカートリッジ１の使用した場合と、シャッタレスのディスクカートリッジ１Ａの使用した場合と、に分けて上記ディスク記録及び／又は再生装置１０１の作用を説明する。
【００７４】
シャッタ付のディスクカートリッジ１の使用した場合、
電子機器３０１の蓋部３０５を開けばカートリッジホルダ１０２も上記蓋部３０５に追従して回動して上記カートリッジ挿抜位置に移動する。上記カートリッジ挿抜位置において、図２６Ａ、図２６Ｂに示すように、上記カートリッジホルダ１０２内にディスクカートリッジ１を挿入する。このとき、上記カートリッジ脱落防止手段２２１の凸部２２３は、上記ディスクカートリッジ１のカートリッジ本体３の第１の側面３ｂに摺接するとともに、上記シャッタロック解除部材１１６の先端の凸部１１７は、上記シャッタ部材４の第１の移動ガイド片４９の外面に摺接して、上記ディスクカートリッジ１のカートリッジ本体３の第１の側面３ｂと第２の側面３ｃに略均等な側圧が付与される。
【００７５】
ディスクカートリッジ１がカートリッジホルダ１０２内に所定量挿入されると、図２７Ａ、図２７Ｂに示すように、シャッタロック解除部材１１６の凸部１１７が上記第１の移動ガイド片４９に設けた押圧操作用の開口部４８内に嵌合し、上記ディスクカートリッジ１のシャッタ移動規制部材５の被押圧部５７を押圧してシャッタ部材４のロックを解除すると共に、カートリッジホルダ１０２の第２の側面板１０２ｃの内面に設けたシャッタ移動阻止凸部６３が上記シャッタ部材４の一端部に当接してシャッタ部材４の移動を阻止する。
【００７６】
ディスクカートリッジ１を更に挿入すると、図２８Ａ、図２８Ｂに示すように、シャッタ部材４は停止した状態でカートリッジ本体３のみがカートリッジホルダ１０２内に挿入されてディスクカートリッジ１の記録及び／又は再生用開口部３４が開放されて行くとともに、上記イジェクトレバー１０５が押されて回動し、上記付勢手段１０６が蓄勢されて行く。
【００７７】
ディスクカートリッジ１がカートリッジホルダ１０２内に完全に収納されると、図２９Ａ、図２９Ｂに示すように、上記イジェクトレバー１０５は、イジェクトレバー係止手段１０７によって戻り回動不可能に係止された状態になる。一方、上記カートリッジ脱落防止手段２２１の凸部２２３は、上記ディスクカートリッジ１のカートリッジ本体３の第１の側面３ｂに設けた第１の側圧解除用の凹部６１に嵌合して側圧を解除する。
【００７８】
そして、上記カートリッジホルダ１０２をカートリッジ挿抜位置から記録再生位置に移動させて記録及び／又は再生を行なう。上記カートリッジホルダ１０２をカートリッジ挿抜位置から記録再生位置に移動させる際には、上記係止解除手段１０８の傾斜面部１０８ｅに上記イジェクトレバー１０５の被操作部１０５ｅの側面１０５ｍが接触して上記弾性片部１０８ｃを所謂逃げ方向に撓ませる。そして、上記傾斜面部１０８ｅの端部が上記イジェクトレバー１０５の被操作部１０５ｅの位置まで移動して来ると、上記傾斜面部１０８ｅと上記イジェクトレバー１０５の被操作部１０５ｅの側面１０５ｍの接触が外れて、上記弾性片部１０８ｃは、弾性復帰して上記係合部１０８ｆが上記イジェクトレバー１０５の被操作部１０５ｅの下面１０５ｎに係合する。
【００７９】
上記ディスクカートリッジ１の記録及び／又は再生終了後に、上記カートリッジホルダ１０２をカートリッジ挿抜位置に移動させれば、図８に示すように、上記係合部１０８ｆによって上記イジェクトレバー１０５の被操作部１０５ｅの下面１０５ｎが持ち上げられて、上記イジェクトレバー係止手段１０７による上記イジェクトレバー１０５の係止が解除される。そして、上述のディスクカートリッジ挿入時とは逆に、ディスクカートリッジ１は、図２９、図２８、図２７、図２６の過程を経てカートリッジホルダ１０２から押し出される。そして、図２６に示すように、イジェクトレバー１０５の戻り回動終了後においてディスクカートリッジ１が慣性で更に押し出されて来たときに、上記カートリッジ脱落防止手段２２１の凸部２２３が、上記ディスクカートリッジ１のカートリッジ本体３の第１の側面３ｂに摺接するとともに、上記シャッタロック解除部材１１６の先端の凸部１１７が、上記シャッタ部材４の第１の移動ガイド片４９の外面に摺接して、上記ディスクカートリッジ１のカートリッジ本体３の第１の側面３ｂと第２の側面３ｃに略均等な側圧（摩擦抵抗）を加えて、ディスクカートリッジ１がカートリッジホルダ１０２から飛び出すのを防止するのである。
【００８０】
シャッタレスのディスクカートリッジ１Ａの使用した場合、
カートリッジ挿抜位置において、カートリッジホルダ１０２内にディスクカートリッジ１を挿入すると、図３０に示すように、上記カートリッジ脱落防止手段２２１の凸部２２３は、上記ディスクカートリッジ１Ａのカートリッジ本体３の第１の側面３ｂに摺接するとともに、上記シャッタロック解除部材１１６の先端の凸部１１７は、カートリッジ本体３の第２の側面３ｃに摺接して、上記ディスクカートリッジ１のカートリッジ本体３の第１の側面３ｂと第２の側面３ｃに略均等な側圧が付与される。
【００８１】
そして、ディスクカートリッジ１がカートリッジホルダ１０２内に完全に収納されると、図３１に示すように、上記カートリッジ脱落防止手段２２１の凸部２２３は、上記ディスクカートリッジ１のカートリッジ本体３の第１の側面３ｂに設けた第１の側圧解除用の凹部６１に嵌合して側圧を解除するとともに、上記シャッタロック解除部材１１６の先端の凸部１１７は、カートリッジ本体３の第２の側面３ｃに設けた第２の側圧解除用の凹部６２に嵌合して側圧を解除する。その他の作用は、
シャッタ付のディスクカートリッジ１の場合と略同じであるので重複する説明は省略する。
【図面の簡単な説明】
【００８２】
【図１】ディスク記録及び／又は再生装置の斜視図。
【図２】ディスク記録及び／又は再生装置を裏側から見た平面図。
【図３】ディスク記録及び／又は再生装置の分解斜視図。
【図４】係止解除手段の斜視図。
【図５】係止解除手段を取付けた状態の断面図。
【図６】Ａは係止解除手段の傾斜面部にイジェクトレバーの被操作部の側面が接触している状態を示す側面図、Ｂは同正面図、Ｃは同斜視図。
【図７】Ａは弾性片部が弾性復帰して係合部がイジェクトレバーの被操作部の下面に係合した状態を示す側面図、Ｂは同正面図、Ｃは同斜視図。
【図８】Ａは係合部によってイジェクトレバーの被操作部の下面が持ち上げられてイジェクトレバー係止手段によるイジェクトレバーの係止が解除された状態を示す側面図、Ｂは同正面図、Ｃは同斜視図。
【図９】ディスクカートリッジの斜視図。（シャッタ閉状態）。
【図１０】ディスクカートリッジを裏面側から見た斜視図。（シャッタ閉状態）。
【図１１】ディスクカートリッジを裏面側から見た斜視図。（シャッタ開状態）。
【図１２】シャッタをロックしている状態の平面図。
【図１３】シャッタのロックを解除した状態の要部の平面図。
【図１４】シャッタを取付ける前の状態の分解斜視図。
【図１５】シャッタにシャッタ移動規制部材を取付けた状態の斜視図。
【図１６】シャッタの取付け状態の断面図。
【図１７】シャッタを有しないディスクカートリッジの斜視図。
【図１８】スピンドルモータの分解断面図。
【図１９】スレッドモータの分解断面図。
【図２０】カートリッジホルダをカートリッジ挿抜位置にセットした状態の側面図。
【図２１】イジェクトレバーが押される前の状態を示す平面図。
【図２２】イジェクトレバーが押された後の状態を示す平面図。
【図２３】電子機器の斜視図。
【図２４】電子機器を背面側から見た斜視図。
【図２５】蓋部を開いた状態の斜視図。
【図２６】Ａはシャッタ付のディスクカートリッジを使用した場合の作用を示す側面図、Ｂは同平面図。
【図２７】Ａはシャッタ付のディスクカートリッジを使用した場合の作用を示す側面図、Ｂは同平面図。
【図２８】Ａはシャッタ付のディスクカートリッジを使用した場合の作用を示す側面図、Ｂは同平面図。
【図２９】Ａはシャッタ付のディスクカートリッジを使用した場合の作用を示す側面図、Ｂは同平面図。
【図３０】Ａはシャッタレスのディスクカートリッジを使用した場合の作用を示す側面図、Ｂは同平面図。
【図３１】Ａはシャッタレスのディスクカートリッジを使用した場合の作用を示す側面図、Ｂは同平面図。
【符号の説明】
【００８３】
１…ディスクカートリッジ、６１…第１の側圧解除用の凹部、６２…第２の側圧解除用の凹部、６３…シャッタ移動阻止用の凸部、１０１…ディスク記録及び／又は再生装置、１０２…カートリッジホルダ、１０２ｃ…弾性片位置決め部、１０３…シャーシ、１０４…記録及び／又は再生手段、１０５…イジェクトレバー、１０６…付勢手段、１０７…イジェクトレバー係止手段、１０８…係止解除手段、２２１…カートリッジ脱落防止手段、２２２…弾性片部、２２３…凸部。
【図１】
2005322320.tif 000003
【図２】
2005322320.tif 000004
【図３】
2005322320.tif 000005
【図４】
2005322320.tif 000006
【図５】
2005322320.tif 000007
【図６】
2005322320.tif 000008
【図７】
2005322320.tif 000009
【図８】
2005322320.tif 000010
【図９】
2005322320.tif 000011
【図１０】
2005322320.tif 000012
【図１１】
2005322320.tif 000013
【図１２】
2005322320.tif 000014
【図１３】
2005322320.tif 000015
【図１４】
2005322320.tif 000016
【図１５】
2005322320.tif 000017
【図１６】
2005322320.tif 000018
【図１７】
2005322320.tif 000019
【図１８】
2005322320.tif 000020
【図１９】
2005322320.tif 000021
【図２０】
2005322320.tif 000022
【図２１】
2005322320.tif 000023
【図２２】
2005322320.tif 000024
【図２３】
2005322320.tif 000025
【図２４】
2005322320.tif 000026
【図２５】
2005322320.tif 000027
【図２６】
2005322320.tif 000028
【図２７】
2005322320.tif 000029
【図２８】
2005322320.tif 000030
【図２９】
2005322320.tif 000031
【図３０】
2005322320.tif 000032
【図３１】
2005322320.tif 000033